(57)【要約】      （修正有）【課題】本発明は、映像情報等の記録動作中であっても、記録済みの映像情報に対する編集操作が可能な映像記録装置を提供する。【解決手段】撮影時にＨＤＤに記録するデータを記録開始から所定の時間毎に分割して単位情報２０３として生成し、生成された単位情報２０３と当該単位情報２０３を管理するためのアドレステーブル２０１をＨＤＤに記録し、受け付けた編集操作に基づいて編集対象となる単位情報２０３を指定する。そして、記録動作中に、受け付けた編集操作に応じて、指定された単位情報２０３に対応するアドレスデータの制御を行う。【選択図】図２
2007109338.tif 000002
【特許請求の範囲】
【請求項１】
映像情報を記録する記録手段と、前記映像情報を表示する表示手段とを備える映像記録装置において、
前記映像情報を記録開始から分割して単位情報として生成する単位情報生成手段と、
前記生成された単位情報と当該単位情報を管理するための管理情報を記録する記録手段と、
前記映像情報に対する編集操作を受け付ける編集操作手段と、
前記受け付けた編集操作に基づいて編集対象となる単位情報を指定する指定手段と、
前記映像情報の記録中に、前記受け付けた編集操作に応じて前記指定された単位情報に対応する管理情報の制御を行う制御手段とを備えることを特徴とする映像記録装置。
【請求項２】
前記単位情報生成手段は、前記映像情報を記録開始から所定の時間毎に分割して単位情報として生成することを特徴とする請求項１記載の映像記録装置。
【請求項３】
前記制御手段は、前記指定された単位情報に対応する管理情報の削除を行うことを特徴とする請求項１又は２記載の映像記録装置。
【請求項４】
前記管理情報には、前記記録された単位情報の数及び前記記録された単位情報の位置情報が含まれることを特徴とする請求項１乃至３のいずれか１項に記載の映像記録装置。
【請求項５】
前記単位情報には、当該単位情報の位置情報及び当該単位情報の先頭及び末尾のサムネイル画像を含むヘッダーデータと、音声データ及び動画データで構成される映像データとが含まれることを特徴とする請求項４記載の映像記録装置。
【請求項６】
前記表示手段は、前記映像情報の編集画面を表示し、前記受け付けた編集操作に基づいて編集対象となる単位情報から前記サムネイル画像を読み出して前記編集画面上に表示することを特徴とする請求項５記載の映像記録装置。
【請求項７】
映像情報を記録する記録手段と、前記映像情報を表示する表示手段とを備える映像記録装置の制御方法において、
前記映像情報を記録開始から分割して単位情報として生成する単位情報生成工程と、
前記生成された単位情報と当該単位情報を管理するための管理情報を記録媒体に記録する記録工程と、
前記映像情報に対する編集操作を操作手段を介して受け付ける編集操作工程と、
前記受け付けた編集操作に基づいて編集対象となる単位情報を指定する指定工程と、
前記映像情報の記録中に、前記受け付けた編集操作に応じて前記指定された単位情報に対応する管理情報の制御を行う制御工程とを備えることを特徴とする映像記録装置の制御方法。
【請求項８】
前記単位情報生成工程は、前記映像情報を記録開始から所定の時間毎に分割して単位情報として生成することを特徴とする請求項７記載の映像記録装置の制御方法。
【請求項９】
前記制御工程は、前記指定された単位情報に対応する管理情報の削除を行うことを特徴とする請求項７又は８記載の映像記録装置の制御方法。
【請求項１０】
前記管理情報には、前記記録された単位情報の数及び前記記録された単位情報の位置情報が含まれることを特徴とする請求項７乃至９のいずれか１項に記載の映像記録装置の制御方法。
【請求項１１】
前記単位情報には、当該単位情報の位置情報及び当該単位情報の先頭及び末尾のサムネイル画像を含むヘッダーデータと、音声データ及び動画データで構成される映像データとが含まれることを特徴とする請求項１０記載の映像記録装置の制御方法。
【請求項１２】
前記映像情報の編集画面を前記表示手段に表示する表示工程を更に有し、前記受け付けた編集操作に基づいて編集対象となる単位情報から前記サムネイル画像を読み出して前記編集画面上に表示することを特徴とする請求項１１記載の映像記録装置の制御方法。
【請求項１３】
前記記録媒体には、ハードディスクドライブが含まれることを特徴とする請求項７乃至１２のいずれか１項に記載の映像記録装置の制御方法。
【発明の詳細な説明】
【技術分野】
【０００１】
本発明は、映像記録装置及びその制御方法に関し、特に、映像情報等の記録動作中であっても記録済みの映像情報に対して編集を行うことが可能な映像記録装置及びその制御方法に関する。
【背景技術】
【０００２】
近年、ＨＤＤ（Hard Disk Drive）を記録媒体として利用した映像記録装置が普及している（特許文献１参照）。ＨＤＤは、大容量の記憶装置であって、ランダムアクセス、高速アクセスが可能という特徴を有する。そのため、ＨＤＤを利用した映像記録装置には、映像情報や音声情報をデジタルデータとしてＨＤＤに記録して長時間録画したり、録画の最中に記録済みの映像情報等を再生する機能が搭載されたものがある。
【０００３】
このような映像記録装置としては、ビデオレコーダやデジタルビデオカムコーダ等があり、ＨＤＤにデータとして記録された映像情報に対して編集画面を用いて編集操作したり、該映像情報を管理したりすることが可能なものがある。
【特許文献１】特開２００５−１０１８６９号公報
【発明の開示】
【発明が解決しようとする課題】
【０００４】
しかしながら、上記従来の映像記録装置では、録画の最中に記録済みの映像情報に対して、編集画面を用いてシーンの削除をはじめとする編集操作を行うためには、一旦、録画動作を停止してから記録済みの映像情報を再生して行う必要がある。
【０００５】
本発明は、このような課題に鑑みて成されたものであり、映像情報等の記録動作中であっても、記録済みの映像情報に対する編集操作が可能な映像記録装置及びその制御方法を提供することを目的とする。
【課題を解決するための手段】
【０００６】
上記目的を達成するために、請求項１記載の映像記録装置は、映像情報を記録する記録手段と、前記映像情報を表示する表示手段とを備える映像記録装置において、前記映像情報を記録開始から分割して単位情報として生成する単位情報生成手段と、前記生成された単位情報と当該単位情報を管理するための管理情報を記録する記録手段と、前記映像情報に対する編集操作を受け付ける編集操作手段と、前記受け付けた編集操作に基づいて編集対象となる単位情報を指定する指定手段と、前記映像情報の記録中に、前記受け付けた編集操作に応じて前記指定された単位情報に対応する管理情報の制御を行う制御手段とを備えることを特徴とする。
【０００７】
上記目的を達成するために、請求項７記載の映像記録装置の制御方法は、映像情報を記録する記録手段と、前記映像情報を表示する表示手段とを備える映像記録装置の制御方法において、前記映像情報を記録開始から分割して単位情報として生成する単位情報生成工程と、前記生成された単位情報と当該単位情報を管理するための管理情報を記録する記録工程と、前記映像情報に対する編集操作を受け付ける編集操作工程と、前記受け付けた編集操作に基づいて編集対象となる単位情報を指定する指定工程と、前記映像情報の記録中に、前記受け付けた編集操作に応じて前記指定された単位情報に対応する管理情報の制御を行う制御工程とを備えることを特徴とする。
【発明の効果】
【０００８】
本発明によれば、映像情報を記録開始から分割して単位情報として生成し、生成された単位情報と当該単位情報を管理するための管理情報を記録し、受け付けた編集操作に基づいて編集対象となる単位情報を指定する。そして、映像情報の記録中に、受け付けた編集操作に応じて、指定された単位情報に対応する管理情報の制御を行う。その結果、映像情報等の記録動作中であっても、記録済みの映像情報に対する編集操作が可能となる。
【発明を実施するための最良の形態】
【０００９】
以下、本発明の実施の形態を図面を参照して詳細に説明する。
【００１０】
図１は、本発明の実施の形態に係る映像記録装置が適用されたデジタルビデオカムコーダの構成を示すブロック図である。
【００１１】
図１において、本発明の実施の形態に係る映像記録装置はデジタルビデオカムコーダ（ＤＶＣ）１００から成る。ＤＶＣ１００において、１０１は入射光を撮像素子１０２に結像する結像レンズである。結像レンズ１０１により結像された入射光は撮像素子１０２により光電変換される。撮像素子駆動回路１０３は、撮像素子１０２により光電変換された電荷を所定のタイミングで信号として読み出し、アナログフロントエンド回路１０４に送る。
【００１２】
アナログフロントエンド回路１０４は、撮像素子１０２から読み出された信号に対してＡＤ変換、ゲイン制御を行い、映像信号としてカメラ信号処理回路１０５に出力する。出力された映像信号は、カメラ信号処理回路１０５で所定の処理が行われ、ビデオ信号処理回路１０６へ入力される。
【００１３】
音声は、マイク１１１でピックアップされ、オーディオフロントエンド回路１１２へ出力される。そして、オーディオフロントエンド回路１１２では、増幅及びＡＤ変換された音声信号がビデオ信号処理回路１０６に出力される。
【００１４】
ビデオ信号処理回路１０６は、入力された映像信号及び音声信号を表示部１１３に出力することができる。また、入力された映像信号及び音声信号をＤＶ方式又はＭＰＥＧ２方式などの動画記録フォーマットで符号化し、ディスクコントローラ１０７を介して符号化データとしてＨＤＤ１０８に記録することができる。
【００１５】
また、ビデオ信号処理回路１０６は、ＨＤＤ１０８に記録された符号化データを復号化することで、再生した映像信号、音声信号として表示部１１３に出力することができる。更に、本体装置の動作状況及び撮影や再生に必要な情報を出力信号に重畳して、表示部１１３にＯＳＤ（On Screen Display）表示を行い、ＧＵＩ（Graphical User Interface）を構成することができる。表示部１１３は、ＬＣＤ（Liquid Crystal Display）等から成る。
【００１６】
ディスクコントローラ１０７は、ビデオ信号処理回路１０６から入力された符号化データのＨＤＤ１０８への記録を行うと共に、ＨＤＤ１０８に記録された符号化データを読み出して、ビデオ信号処理回路１０６へ出力する制御装置である。また、ディスクコントローラ１０７は、バッファ用のメモリ１１４に接続されている。
【００１７】
キースイッチ１１０は、ＤＶＣ１００において、録画、停止、再生、メニュー項目表示、及びメニュー項目選択などの操作を行うための入力スイッチである。キースイッチ１１０が操作されると、その操作に応じた指示情報がシステムコントローラ１０９に出力される。
【００１８】
システムコントローラ１０９は、キースイッチ１１０からの指示情報に応じて、ＤＶＣ１００の録画や再生などの制御を行う。撮影時には、撮像素子駆動回路１０３の駆動制御、カメラ信号処理回路１０５に対して入力した映像信号の制御、ビデオ信号処理回路１０６に対して映像信号の符号化を行う。録画時には、上述した制御に加え、符号化データのＨＤＤ１０８への記録制御の指示も行う。一方、再生時には、記録された符号化データのＨＤＤ１０８からの読み出し制御、読み出した符号化データの復号化を行う。更に、各種操作に応じた撮影画面のＧＵＩ制御を行う。
【００１９】
また、システムコントローラ１０９は、録画時に符号化データを所定の時間毎に分割して単位情報を生成するための分割制御を行う。また、システムコントローラ１０９は、生成された単位情報を管理するための管理情報の制御をも行う。
【００２０】
符号化データのＨＤＤ１０８への記録は、ＨＤＤ等の記憶装置における最小記録単位であるセクター単位で行われる。そこで、本実施の形態では、録画時に符号化データを所定の時間毎に分割して単位情報を生成しＨＤＤ１０８に記録することから、所定の時間毎に先頭画面がセクターの途中に記録される場合は、ダミーデータなどを挿入して次のセクターの先頭から所定時間毎の先頭画面の記録を開始している。
【００２１】
図２は、図１のＤＶＣ１００にてＨＤＤ１０８に記録されたデータの構成を示す図である。
【００２２】
図２において、データ２００は、ＤＶＣ１００において、１回の録画開始から終了までにＨＤＤ１０８に符号化データとして記録された映像情報の一例である。データ２００は、符号化データのＨＤＤ１０８への記録時に該符号化データを所定の時間毎に区切った複数の単位情報２０３（ここでは単位情報１〜７）と、ＨＤＤ１０８に記録された単位情報２０３を管理するためのアドレステーブル２０１とで構成される。
【００２３】
単位情報２０３は、記録セクターサイズ、単位情報の先頭アドレス、先頭及び末尾のサムネイル画像などを含むヘッダーデータ２０４ａと、音声データと動画データとで構成される映像データ２０４ｂとから成る。例えば、毎秒３０フレームの画像を記録し、所定の時間が６０秒と設定されている場合は、各単位情報２０３内の映像データ２０４ｂは１８００フレーム分の映像で構成されることになる。そして、この６０秒の先頭フレームのデータがセクターの先頭から記録される。
【００２４】
ＨＤＤ１０８に記録された単位情報２０３は、アドレステーブル２０１（管理情報）により管理される。アドレステーブル２０１は、単位情報２０３のＨＤＤ１０８への格納データ数を含むヘッダーデータ２０２ａと、記録された単位情報２０３のＨＤＤ１０８上の位置情報（アドレス）を示すアドレスデータ２０２ｂとから成る。単位情報２０３のアドレス群は、アドレスデータ２０２ｂ内に時系列に格納される。
【００２５】
ＤＶＣ１００において、キースイッチ１１０の操作により撮影が開始されると、システムコントローラ１０９の指示により、ビデオ信号処理回路１０６で符号化された映像信号である符号化データが録画開始から所定の時間毎に区切られる。そして、区切り毎に単位情報２０３としてＨＤＤ１０８に記録される。そして、単位情報２０３の記録開始と共にアドレステーブル２０１が生成される。生成されたアドレステーブル２０１は、ＨＤＤ１０８上の単位情報２０３が記録された領域の先頭に配置される。１つの単位情報２０３が記録される度に、当該単位情報２０３に対応するアドレスがアドレスデータとしてアドレステーブル２０１に追記される。なお、アドレステーブル２０１は、データ２００の先頭に配置されているがこれに限定されるものではない。
【００２６】
録画が終了した後、ＨＤＤ１０８に記録された単位情報２０３は、統合して一つのデータとして扱われるが、分割されたまま扱われてもよい。
【００２７】
次に、ＤＶＣ１００において、ＨＤＤ１０８に記録されたデータ２００を再生する場合について説明する。
【００２８】
システムコントローラ１０９は、アドレスデータ２０２ｂに格納されたアドレスデータのうち、時系列的に最先に格納されたアドレスデータに対応する単位情報２０３（図２では単位情報１）をＨＤＤ１０８から読み出して復号化させる指示をディスクコントローラ１０７とビデオ信号処理回路１０６に対して行う。
【００２９】
ＨＤＤ１０８から読み出された単位情報２０３は、ディスクコントローラ１０７によりバッファ用のメモリ１１４に一旦バッファリングされてからビデオ信号処理回路１０６で復号化される。バッファ用メモリ１１４内に複数の単位情報２０３を蓄積する構成とすることで出力している再生映像がとぎれることはない。
【００３０】
また、キースイッチ１１０の操作により特殊再生を実行し、再生画の正方向スキップを行う場合、現在再生している単位情報２０３に対応するアドレスデータから所定数後のアドレスデータに対応する単位情報２０３から再生することで、スキップ動作を実現することができる。
【００３１】
次に、ＤＶＣ１００における録画中の編集機能について図３〜図５を参照して説明する。
【００３２】
図３は、ＤＶＣ１００における録画中の編集処理を示すフローチャートである。図４（ａ）、図４（ｂ）、図４（ｃ）、図５（ｄ）、及び図５（ｃ）は、録画中の編集処理におけるＵＩを示す図である。
【００３３】
図４（ａ）において、３０１はＤＶＣ１００の録画中にビデオ信号処理回路１０６から出力される映像信号を表示部１１３に表示させた録画画面である。このように現在録画している映像が表示部１１３に表示されている状態で、キースイッチ１１０の操作により「録画中の編集メニュー」というキーが操作されると（図３のステップＳ３０１でＹＥＳ）、図４（ｂ）に示す編集画面３０２に切り替わる（ステップＳ３０２）。
【００３４】
編集画面３０２では、編集用の子画面３０２ｂが表示されると同時に、現在録画している映像がリサイズされて子画面３０２ａに表示される。これにより、現在録画中の映像を画面上で常に確認しながら編集作業を行うことが可能である。
【００３５】
次に、子画面３０２ｂに表示された編集メニュー（内容）から不要シーンを削除するための「削除」メニューが選択されると（図３のステップＳ３０３でＹＥＳ）、選択された編集メニューに応じて詳細設定画面が表示される（図３のステップＳ３０４）。本実施の形態では、「削除」メニューの詳細設定画面として、図４（ｃ）に示す編集画面３０３に切り替わる。
【００３６】
編集画面３０３では、子画面３０２ａの他に、操作者により選択された削除シーンの先頭のサムネイル画像を表示する子画面３０３ａと、不要シーンの検索方法を操作者に選択させるための子画面３０３ｂが表示される。
【００３７】
操作者は、不要シーンの検索方法を子画面３０３ｂに表示された検索メニューから選択する。ここで選択することが可能な検索メニューは、例えば、「記録開始から」、「最後から遡る」、「区間指定」等が挙げられる。
【００３８】
検索メニューから「記録開始から」が選択された場合、今回の録画開始時に生成された単位情報２０３の先頭画面から順に削除するシーンを選択させる。一方、「最後から遡る」が選択された場合、現時点で生成が完了している単位情報２０３の末尾画面から録画開始時の時刻にまで順に遡って削除するシーンを選択させる。また、「区間指定」が選択された場合、任意の単位情報２０３の先頭画面と末尾画面との間を削除するシーンとして選択させる。ここでは、「記録開始から」が選択された場合を例にして説明する。
【００３９】
「記録開始から」が選択された場合、録画開始時に生成された単位情報２０３内のヘッダーデータ２０４ａに含まれる先頭のサムネイル画像を子画面３０３ａに表示し、削除するシーンの先頭画面がどういったものであるかを操作者に知らせる。そして、削除に関する詳細設定が行われると、図５（ｄ）に示す編集画面３０４に切り替わる。
【００４０】
図５（ｄ）において、編集画面３０４では、子画面３０２ａの他に、操作者により選択された削除シーンの末尾のサムネイル画像を表示する子画面３０４ａと、削除するシーンに対応する記録開始からの時間を操作者に選択させるための３０４ｂが表示される。
【００４１】
操作者は、削除するシーンに対応する記録開始からの時間を子画面３０４ｂから選択する。ここで選択することが可能な削除時間は、単位情報２０３で区切られた時間の整数倍となる時間である、例えば、単位情報２０３が６０秒単位で生成された場合、「１分」が選択されたときは記録開始から１分後のシーン、すなわち単位情報２０３の１つ分が削除対象として指定される。また、「３分」又は「５分」が選択されたとき、記録開始から単位情報２０３の３つ分又は５つ分のシーンが削除対象として指定される。
【００４２】
削除時間が選択されると、削除対象となる最後の単位情報２０３のヘッダーデータ２０４ａに含まれる末尾のサムネイル画像を子画面３０４ａに表示し、削除するシーンの末尾画面がどういったものであるかを操作者に知らせる。削除時間の設定が行われると、図５（ｅ）に示す編集画面３０５に切り替わる。
【００４３】
図５（ｅ）において、編集画面３０５では、編集画面３０３，３０４で指定された削除するシーンの先頭画面と末尾画面をサムネイル画像で子画面３０５ａに表示することで再度操作者に知らせる。
【００４４】
また、図４（ｃ）の子画面３０３ｃ、図５（ｄ）の子画面３０４ｃ、及び図５（ｅ）の子画面３０５ｃに示すように、操作者が既に選択した設定項目を表示する。これにより、誤った編集操作を防ぐことができる。
【００４５】
編集画面３０５上で、子画面３０５ｂに表示された削除実行（「はい」）が選択されると（ステップＳ３０５でＹＥＳ）、アドレステーブル２０１に含まれる単位情報２０３のアドレスデータ２０２ｂから、削除対象として指定された単位情報２０３のアドレスデータを削除する（ステップＳ３０６）。
【００４６】
また、アドレステーブル２０１内の残りのアドレスデータ数の分だけ、ヘッダーデータ２０２ａに含まれる格納データ数を変更する（ステップＳ３０６）。このように不要シーンの削除が完了すると、通常の録画画面３０１へ切り替わり、録画動作を継続する。
【００４７】
上記実施の形態によれば、撮影時にＨＤＤ１０８に記録するデータを記録開始から所定の時間毎に分割して単位情報２０３として生成し、生成された単位情報２０３と当該単位情報２０３を管理するためのアドレステーブル２０１をＨＤＤ１０８に記録し、受け付けた編集操作に基づいて編集対象となる単位情報２０３を指定する。そして、記録動作中に、受け付けた編集操作に応じて、指定された単位情報２０３に対応するアドレスデータの制御を行う。その結果、映像情報等の記録動作中であっても、記録済みの映像情報に対する編集操作が可能となる。
【００４８】
また、録画開始から終了までにＨＤＤ１０８に記録されるデータを一つのデータとして記録するのではなく、録画開始から予め設定された記録時間長で分割する。そして、録画中であっても、分割された記録済みのデータに対して、例えば不要シーンを削除したい場合は、アドレステーブル２０１に含まれるアドレスデータから編集対象のシーンに対応する単位情報のアドレスデータを削除する。その結果、一旦録画を停止せず、録画動作を継続したまま編集することが可能となる。
【００４９】
なお、上記実施の形態では、キースイッチ１１０の操作により不要シーンの「削除」が選択された場合について説明したが、他の編集内容、例えば「複製」や「転送」を選択できるようにしてもよい。
【００５０】
また、上記実施の形態では、記録媒体としてＨＤＤ１０８を利用したが、大容量の記録媒体又は記憶装置であって、ランダムアクセス、高速アクセスが可能なものであればこれに限られないことは云うまでもない。
【００５１】
また、本発明の目的は、上述した実施の形態の機能を実現するソフトウェアのプログラムコードを記憶した記憶媒体を、システム或いは装置に供給することによっても達成される。その場合、そのシステム或いは装置のコンピュータ（またはＣＰＵやＭＰＵ等）が記憶媒体に格納されたプログラムコードを読み出して実行する。該記憶媒体から読み出されたプログラムコード自体が上述した実施の形態の機能を実現することになり、そのプログラムコード及び該プログラムコードを記憶した記憶媒体は本発明を構成することになる。
【００５２】
また、プログラムコードを供給するための記憶媒体としては、例えば、フロッピー（登録商標）ディスク、ハードディスク、光磁気ディスク等を用いることができる。また、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ等の光ディスク、磁気テープ、不揮発性のメモリカード、ＲＯＭ等を用いることができる。また、プログラムコードをネットワークを介してダウンロードしてもよい。
【００５３】
コンピュータが読み出したプログラムコードを実行することにより、上述した実施の形態の機能が実現されるだけではない。すなわち、プログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００５４】
更に、記憶媒体から読み出されたプログラムコードが、コンピュータに挿入された機能拡張ボードやコンピュータに接続された機能拡張ユニットに備わるメモリに書き込まれる。そして、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【図面の簡単な説明】
【００５５】
【図１】本発明の実施の形態に係る映像記録装置が適用されたデジタルビデオカムコーダの構成を示すブロック図である。
【図２】図１のＤＶＣ１００にてＨＤＤ１０８に記録されたデータの構成を示す図である。
【図３】ＤＶＣ１００における録画中の編集処理を示すフローチャートである。
【図４】録画中の編集処理におけるＵＩを示す図であり、（ａ）は録画中に表示部１１３に表示される録画画面、（ｂ）は編集時に表示される編集画面、（ｃ）は「削除」の編集メニューが選択されたときの編集画面を示す。
【図５】録画中の編集処理におけるＵＩを示す図であり、（ｄ）は「記録開始から」の編集メニューが選択されたときの編集画面、（ｅ）は編集メニューの決定画面を示す。
【符号の説明】
【００５６】
１００  デジタルビデオカムコーダ（ＤＶＣ）
１０６  ビデオ信号処理回路
１０７  ディスクコントローラ
１０８  ＨＤＤ
１０９  システムコントローラ
１１３  表示部
２００  データ
２０１  アドレステーブル
２０３  単位情報
３０１  録画画面
【図１】
2007109338.tif 000003
【図２】
2007109338.tif 000004
【図３】
2007109338.tif 000005
【図４】
2007109338.tif 000006
【図５】
2007109338.tif 000007